(57)【要約】【課題】生ごみの投入が容易で、しかも性能に優れた生ごみ処理機を提供する。【解決手段】生ごみを収納すると共に、底面部３２ｂ近傍に生ごみを攪拌、粉砕する攪拌羽根３３と粉砕刃５６を設けた生ごみ収納容器３２と、生ごみ収納容器３２を収納する処理槽５１を設けた本体３１と、攪拌羽根３３を駆動する駆動手段４９と、生ごみ収納容器３２内に空気を送り込む送風手段３９と、送風手段３９で送り込まれる空気を加熱する加熱手段３４を有し、生ごみ収納容器３２の開口面３２ａを略多角形状とし、かつ、開口面３２ａから底面部３２ｂに向かって、略多角形の角Ｒ（図示せず）を徐々に大きくして、底面部３２ｂ近傍を略円形状としたもので、生ごみ収納容器３２へのごみ投入が容易で、また、投入されたごみを攪拌羽根３３で均一に攪拌、粉砕でき、なおかつ、生ごみ収納容器３２の開口面積つまり、熱風の当たる表面積が広くなって、乾燥性能が向上する。【選択図】図１
2010069425.tif 000002
【特許請求の範囲】
【請求項１】
生ごみを収納すると共に、底面部近傍に生ごみを攪拌、粉砕する攪拌羽根と粉砕刃を設けた生ごみ収納容器と、前記生ごみ収納容器を収納する処理槽を設けた本体と、前記攪拌羽根を駆動する駆動手段と、前記生ごみ収納容器内に空気を送り込む送風手段と、前記送風手段で送り込まれる空気を加熱する加熱手段を有し、前記生ごみ収納容器の開口面を略多角形状とし、かつ、前記生ごみ収納容器の前記開口面から前記底面部に向かって、略多角形の角Ｒを徐々に大きくして、前記底面部近傍を略円形状とした生ごみ処理機。
【請求項２】
本体に回動自在の扉を設け、前記扉と前記本体で処理槽を密閉する構成とした請求項１に記載の生ごみ処理機。
【発明の詳細な説明】
【技術分野】
【０００１】
本発明は、台所等で出る生ごみを処理する生ごみ処理機に関するものである。
【背景技術】
【０００２】
従来、この種の生ごみ処理機の生ごみ収納容器の開口面、底面近傍は略円形状となっている。さらに、生ごみ収納容器の開口部と蓋等に取り付けたゴム等からなるパッキンで密閉状態となる構成となっている（例えば、特許文献１参照）。
【０００３】
図４は、上記特許文献１に記載された従来の生ごみ処理機の断面図、図５は、同生ごみ処理機の生ごみ収納容器の断面図である。
【０００４】
図４、図５において、１は、生ごみ処理機本体、２は生ごみを収納する生ごみ収納容器で、底面に生ごみを攪拌、粉砕する攪拌羽根３と、粉砕刃２２を備えている。この生ごみ収納容器２の上部に生ごみを加熱する加熱手段４を配してある。ここで、加熱手段４は、シーズヒータを使用している。
【０００５】
また、加熱手段４の近傍には、送風手段６を配置し、加熱手段４に、送風手段６の風を直接当てることで、熱風を作り出し、その熱風を生ごみに当てて生ごみの表面を加熱乾燥する。なお送風手段６は、送風用モータ７により回転駆動される。加熱手段４と送風手段６の前面には多孔を配した保護カバー９を設けている。
【０００６】
また、生ごみ収納容器２の上方には、吸気口８が設けられており、この吸気口８は、生ごみ収納部２を介して蒸気通路５を通じて脱臭手段１０に接続されている。脱臭手段１０は、加熱されて臭気を脱臭する触媒（図示なし）と、触媒を加熱する触媒加熱ヒータ１２と、触媒を介して臭気を脱臭し、排気口１３より外部に排出する排気手段１４（排気ファン、排気モータ、冷却ファン（図示なし））から構成されている。生ごみ処理機本体１内には、制御回路１８と、攪拌羽根３が取り付けられた回転軸２３を駆動する駆動装置１９を設けてある。
【０００７】
また、蓋２１と生ごみ処理機本体１は、尾錠２０により施錠され、蓋２１が閉じられると、蓋２１に設けたパッキン２４により、生ごみ収納容器２が密閉状態となり、生ごみ処理機が運転状態に入るようになっている。また、生ごみ収納容器２の開口面２ａ、底面２ｂ共に、略円形状となっている。
【特許文献１】特開２００５−２１８９２９号公報
【発明の開示】
【発明が解決しようとする課題】
【０００８】
しかしながら、上記特許文献１に記載されたような従来の生ごみ処理機は、底面２ｂに設けている攪拌羽根３の回動とごみを均一に攪拌、粉砕するため、生ごみ収納容器２の開口面２ａも略円形状となっており、このため、ごみが投入しづらく、使用性の悪いものであったと共に、開口面積つまり、ごみを乾燥処理する熱風が当たる表面積が他形状に比べ、小さく、乾燥性能を低下させる、という課題があった。
【０００９】
本発明は、上記従来の課題を解決するもので、生ごみ収納容器へのごみ投入を容易にすると共に、投入したごみを底面部に設けた攪拌羽根で均一に攪拌、粉砕可能とし、なおかつ、生ごみ収納容器の開口面積つまり、熱風の当たる表面積を従来の略円形状より拡大し、ごみの攪拌、粉砕、乾燥における性能と使用性に優れた生ごみ処理機を提供することを目的とする。
【課題を解決するための手段】
【００１０】
上記従来の課題を解決するために、本発明の生ごみ処理機は、生ごみを収納すると共に、底面部近傍に生ごみを攪拌、粉砕する攪拌羽根と粉砕刃を設けた生ごみ収納容器と、前記生ごみ収納容器を収納する処理槽を設けた本体と、前記攪拌羽根を駆動する駆動手段と、前記生ごみ収納容器内に空気を送り込む送風手段と、前記送風手段で送り込まれる空気を加熱する加熱手段を有し、前記生ごみ収納容器の開口面を略多角形状とし、かつ、前記生ごみ収納容器の前記開口面から前記底面部に向かって、略多角形の角Ｒを徐々に大きくして、前記底面部近傍を略円形状としたもので、生ごみ収納容器へのごみ投入を容易にすると共に、投入したごみを底面部に設けた攪拌羽根で均一に攪拌、粉砕可能とし、なおかつ、生ごみ収納容器の開口面積つまり、熱風の当たる表面積を従来の略円形状より拡大し、ごみの攪拌、粉砕、乾燥における性能と使用性を向上させることができる。また、生ごみ収納容器の開口面から底面部間に傾斜が形成され、この傾斜が、攪拌羽根で攪拌、粉砕したごみが底面部に落ちるのを補助し、攪拌、粉砕効率を向上させることができる。
【発明の効果】
【００１１】
本発明の生ごみ処理機は、生ごみ収納容器の開口面を略多角形状とし、かつ、開口面から底面間で略多角形の角Ｒを徐々に大きくすることで、攪拌羽根、粉砕刃を配置している底面部近傍を略円形状とすることにより、生ごみ収納容器へのごみ投入を容易にすると共に、投入したごみを底面部に設けた攪拌羽根で均一に攪拌、粉砕可能とし、なおかつ、生ごみ収納容器の開口面積つまり、熱風の当たる表面積を従来の略円形状より拡大し、ごみの攪拌、粉砕、乾燥における性能と使用性を向上させることができる。
【発明を実施するための最良の形態】
【００１２】
第１の発明は、生ごみを収納すると共に、底面部近傍に生ごみを攪拌、粉砕する攪拌羽根と粉砕刃を設けた生ごみ収納容器と、前記生ごみ収納容器を収納する処理槽を設けた本体と、前記攪拌羽根を駆動する駆動手段と、前記生ごみ収納容器内に空気を送り込む送風手段と、前記送風手段で送り込まれる空気を加熱する加熱手段を有し、前記生ごみ収納容器の開口面を略多角形状とし、かつ、前記生ごみ収納容器の前記開口面から前記底面部に向かって、略多角形の角Ｒを徐々に大きくして、前記底面部近傍を略円形状としたもので、生ごみ収納容器へのごみ投入を容易にすると共に、投入したごみを底面部に設けた攪拌羽根で均一に攪拌、粉砕可能とし、なおかつ、生ごみ収納容器の開口面積つまり、熱風の当たる表面積を従来の略円形状より拡大し、ごみの攪拌、粉砕、乾燥における性能と使用性を向上させることができる。また、生ごみ収納容器の開口面から底面部間に傾斜が形成され、この傾斜が、攪拌羽根で攪拌、粉砕したごみが底面部に落ちるのを補助し、攪拌、粉砕効率を向上させることができる。
【００１３】
第２の発明は、特に、第１の発明の本体に回動自在の扉を設け、前記扉と前記本体で処理槽を密閉する構成としたもので、従来の、生ごみ収納容器の開口面部に投入時のごみや乾燥したごみが付着することで、タイト性が悪化し、密閉度が低下するという問題が発生しないため、長時間使用しても処理槽からの臭い漏れがなく、使用者の使用環境確保に優れた生ごみ処理機を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における生ごみ処理機の断面図、図２は、同生ごみ処理機の生ごみ収納容器の上から見た斜視図、図３は、同生ごみ収納容器の下から見た斜視図である。
【００１６】
図１〜図３において、本実施の形態における生ごみ処理機の生ごみ処理機本体３１（以下「本体３１」という）は、処理槽５１を備え、処理槽５１の上部には、送風ケース５３を設けている。送風ケース５３内部には、処理槽５１内にセットされ、生ごみを収納する生ごみ収納容器３２内に空気を送り込む送風手段３９と、送風手段３９で送り込まれる空気を加熱する加熱手段３４を設けている。
【００１７】
送風手段３９は、送風モータ３７により回転駆動される。処理槽５１には、吸込口５４と、吹出口５５を設けており、処理槽５１の蒸気を含む空気を、送風手段３９で吸込口５４から吸引し、加熱手段３４で加熱した後、吹出口５５から、生ごみ収納容器３２内に熱風を吹出す構成となっている。
【００１８】
生ごみ収納容器３２の開口面３２ａは、四角形状となっている。４隅の角には、小さな角Ｒ３２ｃ形状を設けている。開口面３２ａから底面部３２ｂ間にて、この角Ｒ３２ｃを、底面部３２ｂに向かって徐々に大きくすることで、底面部３２ｂを略円形状としている。
【００１９】
生ごみを収納する生ごみ収納容器３２は、底面部３２ｂ近傍に生ごみを攪拌する攪拌羽根３３、粉砕刃５６、攪拌羽根３３の軸となる回転軸４５、回転軸４５に固定された攪拌キャップ５７を備えている。処理槽５１の下部には、攪拌キャップ５７が着脱自在に連結される攪拌受け台５８が設けられている。さらに、下部には、攪拌受け台５８を駆動する駆動手段４９を備えている。駆動手段４９は、駆動モータ（図示せず）をウォームギヤ（図示せず）で構成している。生ごみ収納容器３２を処理槽５１に入れた後、攪拌キャップ５７を攪拌受け台５８にセットすることで、攪拌キャップ５７と攪拌受け台５８が連結し、駆動手段４９で攪拌羽根３３が回転する構成となっている。
【００２０】
生ごみ収納容器３２には、持ち運びのためと、処理槽５１の攪拌受け台５８にセットするためのハンドル５９を設けている。さらに、生ごみ収納容器３２の外側に、凸部６０を設けている。これは、凸部６０が処理槽５１の壁面に接触することで、攪拌羽根３３の動作時において処理槽５１内で生ごみ収納容器３２が空回転することを防止する役割がある。
【００２１】
送風ケース５３には、吸気口３８と外部空気吸引口５０を設けており、外部空気吸引口５０から、外部の空気を取り込んだ後、送風手段３９、加熱手段３４で加熱され、処理槽５１にて蒸気成分を含み、吸気口３８から処理槽５１を出る。その後、連結通路６１を経由し、触媒４１、触媒加熱ヒータ４２で構成された脱臭装置４０に入り、臭気成分が脱臭される。脱臭された空気は、脱臭装置４０を通過した後、吸引手段４４ａと、吸引モータ４４ｂで構成された排気手段４４で吸引された後、排気口４３を経由して、外部に排出される。
【００２２】
又、本実施の形態では、本体３１に対して自在に回動する扉６２を本体３１に設けている。扉６２には、尾錠（図示せず）を設けており、扉６２が閉時において、尾錠（図示せず）を操作することで、扉６２を開状態にすることができる。また、扉６２には、軟物質からなるパッキン６３を設けており、扉６２を閉じると、パッキン６３により処理槽５１が密閉状態となるようになっている。
【００２３】
本体３１内部には、送風モータ３７、加熱手段３４、駆動手段４９、触媒加熱ヒータ４２、吸引モータ４４ｂなどを制御する制御回路４８を設けている。６４は、本体３１の上面に設けられ、本体３１を運転操作するための操作部である。
【００２４】
以上のように構成された本実施の形態における生ごみ処理機の動作、作用、効果を、以下に説明する。
【００２５】
まず、生ごみを収納すると共に、生ごみを攪拌、粉砕する攪拌羽根３３と粉砕刃５６を設けた生ごみ収納容器３２と、生ごみ収納容器３２を収納する処理槽５１を設けた本体３１と、攪拌羽根３３を駆動する駆動手段４９と、生ごみ収納部３２の開口面３２ａへ熱風を送り込む送風手段３９と、空気を加熱する加熱手段３４を有し、生ごみ収納容器３２の開口面３２ａを略多角形状の一つである四角形状とし、かつ、開口面３２ａから底面部３２ｂ間で四角形の角Ｒ３２ｃを徐々に大きくすることで、攪拌羽根３３、粉砕刃５６を配置している底面部３２ｂ近傍を略円形状とすることで、生ごみ収納容器３２へのごみ投入を容易にすると共に、投入したごみを底面部３２ｂに設けた攪拌羽根３３で均一に攪拌、粉砕可能とし、なおかつ、生ごみ収納容器３２の開口面積つまり、熱風の当たる表面積を、従来の略円形状のものと比べ、本実施の形態では、約１．３倍に拡大し、ごみの攪拌、粉砕、乾燥における性能と使用性を向上させることができる。
【００２６】
ここで、開口面３２ａから底面部３２ｂ間で、この角Ｒを、底面部３２ｂに向かって徐々に大きくすることにより、生ごみ収納容器３２の開口面３２ａから底面部３２ｂに傾斜が形成され、この傾斜が、攪拌羽根３３で攪拌、粉砕したごみが底面部３２ｂに落ちるのを補助し、攪拌、粉砕効率を向上させることができる。
【００２７】
また、本体３１に対して自在に回動する扉６２を本体３１に設け、扉６２と本体３１で処理槽５１を密閉する構成とすることで、従来の、生ごみ収納容器３２の開口面３２ａに投入時のごみや乾燥したごみが付着することで、タイト性が悪化し、密閉度が低下するという問題が発生しないため、長時間使用しても処理槽５１からの臭い漏れがなく、使用者の使用環境確保に優れた生ごみ処理機を提供することができる。
【００２８】
ここで、本実施の形態では、生ごみ収納容器３２の開口面３２ａを四角形状としたが、六角、八角などの他の多角形状でも、同じ効果とすることができる。
【００２９】
また、本実施の形態では、処理槽５１を密閉状態にするパッキン６３を扉６２に設けたが、本体３１側に設けても、同じ効果が得られることは、言うまでも無い。
【産業上の利用可能性】
【００３０】
以上のように、本発明にかかる生ごみ処理機は、生ごみ収納容器の開口面を略多角形状とし、かつ、開口面から底面部間で略多角形の角Ｒを徐々に大きくして、攪拌羽根、粉砕刃を配置している底面部近傍を略円形状とすることにより、生ごみ収納容器へのごみ投入を容易にすると共に、投入したごみを底面部に設けた攪拌羽根で均一に攪拌、粉砕可能とし、なおかつ、生ごみ収納容器の開口面積つまり、熱風の当たる表面積を略円形状より拡大し、ごみの攪拌、粉砕、乾燥における性能と使用性を向上させることができるもので、容器に対象物を投入し、本体に加熱、攪拌手段を有する電化製品、機械装置、設備等の用途にも適用できる。
【図面の簡単な説明】
【００３１】
【図１】本発明の第１の実施の形態における生ごみ処理機の断面図
【図２】同生ごみ処理機の生ごみ収納容器の上から見た斜視図
【図３】同生ごみ収納容器の下から見た斜視図
【図４】従来の生ごみ処理機の断面図
【図５】同生ごみ処理機の生ごみ収納容器の断面図
【符号の説明】
【００３２】
３１    生ごみ処理機本体（本体）
３２    生ごみ収納部
３２ａ  開口面
３２ｂ  底面部
３２ｃ  角Ｒ
３３    攪拌羽根
３４    加熱手段
３９    送風手段
４９    駆動手段
５１    処理槽
５６    粉砕刃
６２    扉
【図１】
2010069425.tif 000003
【図２】
2010069425.tif 000004
【図３】
2010069425.tif 000005
【図４】
2010069425.tif 000006
【図５】
2010069425.tif 000007